(57)【要約】  本発明は、少なくとも１つの電気的なコンタクトエレメントを収容する少なくとも１つの室（６）を備えた単極または多極のコネクタケーシング（４）に用いられる電気的なコンタクトエレメント（２）に関する。電気的なコンタクトエレメント（２）は、電気的な線路（１１０）の導電性の導体（１１２）を導電的に取り付ける第１の取付け区分（８）を有しており、電気的なコンタクトエレメント（２）は、コンタクト区分（１２）を有しており、コンタクト区分（１２）は、対応する対向コンタクトエレメント（１２０）と差込み方向（Ｘ）で差し合わされるように調整されており、コンタクト区分（１２）および第１の取付け区分（８）は互いに導電接続されている。導体（１１２）が取付け区分（８）に固く結合されている場合に、対向コンタクトエレメント（１２０）がコンタクト区分（１２）を通って第１の取付け区分（８）の傍らをガイド可能であるように、第１の取付け区分（８）とコンタクト区分（１２）とは、差込み方向（Ｘ）に対してほぼ直交する横方向で互いに間隔を空けている。
2015509648.tif 000002
【特許請求の範囲】
【請求項１】
少なくとも１つの電気的なコンタクトエレメント（２）を収容する少なくとも１つのコンタクト室（６）を備えた単極または多極のコネクタケーシング（４）に用いられる電気的なコンタクトエレメントであって、
該電気的なコンタクトエレメント（２）は、電気的な線路（１１０）の導電性の導体（１１２）を導電的に取り付ける第１の取付け区分（８）を有しており、
前記電気的なコンタクトエレメント（２）は、コンタクト区分（１２）を有しており、
該コンタクト区分（１２）は、対応する対向コンタクトエレメント（１２０）と差込み方向（Ｘ）で差し合わされるように調整されており、
前記コンタクト区分（１２）および前記第１の取付け区分（８）は互いに導電接続されている、電気的なコンタクトエレメントにおいて、
前記導体（１１２）が前記取付け区分（８）に固く結合されている場合に、前記対向コンタクトエレメント（１２０）が前記コンタクト区分（１２）を通って前記第１の取付け区分（８）の傍らをガイド可能であるように、前記第１の取付け区分（８）と前記コンタクト区分（１２）とは、前記差込み方向（Ｘ）に対してほぼ直交する横方向で互いに間隔を空けていることを特徴とする、
少なくとも１つの電気的なコンタクトエレメント（２）を収容する少なくとも１つのコンタクト室（６）を備えた単極または多極のコネクタケーシング（４）に用いられる電気的なコンタクトエレメント。
【請求項２】
前記電気的なコンタクトエレメント（２）は、前記電気的な線路（１１０）の電気絶縁性の被覆体（１１６）を取り付ける第２の取付け区分（１０）を有しており、
前記線路（１１０）は、ほぼ前記差込み方向（Ｘ）に沿って延びており、
前記第２の取付け区分（１０）は、前記被覆体（１１６）が該第２の取付け区分（１０）に固く結合されている場合、ほぼ前記差込み方向（Ｘ）に沿って延びかつ横断面でほぼ正方形の中空シリンダ状の周面により制限可能であり、
該周面は、前記導体（１１２）が前記第１の取付け区分（８）に結合されている場合、前記コンタクト区分（１２）によって越えられていない、請求項１記載の電気的なコンタクトエレメント。
【請求項３】
前記電気的なコンタクトエレメント（２）は、前記電気的な線路（１１０）の電気絶縁された被覆体（１１６）を取り付ける第２の取付け区分（１０）を有しており、
前記線路（１１０）は、ほぼ前記差込み方向（Ｘ）に沿って延びており、
前記第２の取付け区分（１０）は、前記被覆体（１１６）が該第２の取付け区分（１０）に固く結合されている場合、ほぼ前記差込み方向（Ｘ）に沿って延びかつ横断面でほぼ円形の中空シリンダ状の周面（２２）により制限可能であり、
該周面（２２）は、前記導体（１１２）が前記第１の取付け区分（８）に結合されている場合、前記コンタクト区分（１２）によって越えられていない、請求項１記載の電気的なコンタクトエレメント。
【請求項４】
前記導体（１１２）および前記被覆体（１１６）がそれぞれの取付け区分（８，１０）に取り付けられている場合に、前記導体（１１２）および前記被覆体（１１６）が、ほぼ共通の第１の中心軸線（ＩＩ）に沿って延びているように、前記第１の取付け区分（８）と、前記第２の取付け区分（１０）とが配置されている、請求項２または３記載の電気的なコンタクトエレメント。
【請求項５】
前記コンタクト区分（１２）は、第２の中心軸線（ＩＩＩ）に沿って延びており、
前記第１の中心軸線（ＩＩ）と前記第２の中心軸線（ＩＩＩ）とは、互いに対してほぼ平行に延びている、請求項４記載の電気的なコンタクトエレメント。
【請求項６】
前記第１の取付け区分（８）と、前記第２の取付け区分（１０）と、前記コンタクト区分（１２）とから成るコンタクトエレメントボディ（１８）が一体的に形成されている、請求項２から５までのいずれか１項記載の電気的なコンタクトエレメント。
【請求項７】
前記コンタクト区分（１２）は、ほぼ矩形の横断面（２０）を備えた対向コンタクトエレメント（１２０）を収容するために形成されている、請求項１から６までのいずれか１項記載の電気的なコンタクトエレメント。
【請求項８】
前記コンタクト区分（１２）は、係止ランス（１６）を備えたケージエレメント（１４）により取り囲まれており、
前記係止ランス（１６）は、第１の位置から第２の位置へ、かつ第２の位置から第１の位置へと移動可能であり、
前記係止ランス（１６）は、前記第１の位置では外方に向かって斜めに突出していて、かつコネクタケーシング（４）のコンタクト室（６）に係止可能であり、
前記コンタクト区分（１２）は、前記差込み方向（Ｘ）に対してほぼ直交する横方向で、前記第１の取付け区分（８）とは反対に位置する側において１つの平面（Ｅ）により制限されており、
該平面（Ｅ）は前記ケージエレメント（１４）によっても前記係止ランス（１６）によっても越えられていない、請求項１から７までのいずれか１項記載の電気的なコンタクトエレメント。
【請求項９】
請求項１から８までのいずれか１項記載の電気的なコンタクトエレメント（２）を収容する電気絶縁性の材料から成るコンタクト室（６）を備えたコネクタケーシングであって、
前記コンタクト室（６）内に、前記電気的なコンタクトエレメント（２）が第３の中心軸線（ＩＶ）に沿って導入可能であり、
前記コンタクト室（６）内に、前記電気的な対向コンタクトエレメント（１２０）が第４の中心軸線（Ｖ）に沿って導入可能であり、
前記第３の中心軸線（ＩＶ）と、前記電気的なコンタクトエレメント（２）の前記第１の中心軸線（ＩＩ）とはほぼ同一であり、
第４の中心軸線（Ｖ）と、前記電気的なコンタクトエレメント（２）の前記第２の中心軸線（ＩＩＩ）とはほぼ同一であることを特徴とする、電気的なコンタクトエレメント（２）を収容する電気絶縁性の材料から成るコンタクト室（６）を備えたコネクタケーシング。
【請求項１０】
請求項９に記載のコネクタケーシング（４）と、請求項１から８までのいずれか１項記載の電気的なコンタクトエレメント（２）を備えたコネクタ。
【発明の詳細な説明】
【技術分野】
【０００１】
従来技術
先行技術から、電気的な差し込み結合部を形成する電気的なコネクタが公知である。まさに自動車製造においても、コネクタは、アクチュエータ、制御ユニット、表示機器ならびにセンサとの接続のために、複数の極を備えた種々異なる形態で使用されている。この場合、電気的なコネクタは、通常、ワイヤハーネスの端部に当接されている。電気的なコネクタは、主に少なくとも１つのコンタクト室を備えたコネクタケーシングを有している。この場合、各コンタクト室には、電気的なコンタクトエレメントが備え付け可能である。通常、電気的なコネクタは、該コネクタが差込み方向に沿って、対応する対向コンタクトエレメントを備えた対向コネクタに押し被せられるように形成されており、この場合、電気的な線路は、差込み方向とは反対に向けられた方向に延びている。電気的な線路は、電気的なコンタクトエレメントに通常は以下のように接続されている。すなわち、内側に位置する導体を備えた線路の絶縁体が、コンタクトエレメントに固く結合された、ストレインリリーフとしての取付け区分によって取り囲まれているようにされる。コンタクトエレメントの第２の取付け区分によって、電気的な線路の導電性の導体は、対向コンタクトエレメントに導電接続可能であるコンタクト区分に導電接続される。電気的な線路が差込み方向とは反対に向けられた方向にコネクタケーシングから導出される配置が有利であることが判った。なぜならば、このようなコネクタケーシングは廉価に製造可能であるからである。さらに、コネクタケーシングから出る線路は、特定の配置ではコネクタ−対向コネクタの組合せを分離する場合に、線路における引っ張りによってこの組合せを分離させるために使用され得る。
【０００２】
上述の配置および自動車製造における一層の小型化に付随して、このような種類のコネクタの長さが特定の用途事例において邪魔になり得る。
【０００３】
発明の概要
したがって、先行技術に比べてコンパクトに形成されたコネクタを提供するという需要が生じている。
【０００４】
この需要は、独立請求項に記載の対象により満たされる。有利な態様は従属請求項によりもたらされる。
【０００５】
本発明の第１の態様によれば、少なくとも１つの電気的なコンタクトエレメントを収容する少なくとも１つのコンタクト室を備えた単極または多極のコネクタケーシングのための電気的なコンタクトエレメントが提供される。電気的なコンタクトエレメントは電気的な線路の導電性の導体を導電的に取付ける第１の取付け区分を有している。電気的なコンタクトエレメントは、コンタクト区分を有している。このコンタクト区分は、対応する対向コンタクトエレメントと差込み方向で差し合わされるように調整されている。コンタクト区分および第１の取付け区分は、互いに導電接続されている。導体が取付け区分に結合されている場合に、対向コンタクトエレメントがコンタクト区分を通って第１の取付け区分の傍らをガイド可能であるように、第１の取付け区分とコンタクト区分とは、差込み方向に対してほぼ直交する横方向で、互いに対して間隔を置いている。
【０００６】
したがって、電気的なコンタクトエレメントの構造高さを、先行技術に対して減じることができ、この場合にこれによってモジュラ寸法を変更する必要はない。モジュラ寸法（Rastermass）とは、電気的な第１のコンタクトエレメントの第１の中心軸線の、該第１のコンタクトエレメントに隣接する第２のコンタクトエレメントの第２の中心軸線に対する間隔であると理解され得る。コンタクトエレメントの構造高さの減少により、付加的にコネクタケーシングは先行技術の態様に対して縮小され得る。したがって、コネクタの提案された電気的なコンタクトエレメントにより、コネクタは比較的コンパクトに形成され得る。通常、電気的な導体ならびに該導体の絶縁性の被覆体は、コンタクトエレメントにクランプ法を用いて結合されている。クランプ法の実施前には、通常、導体を収容する第１の取付け区分と、導体の絶縁性の被覆体を収容する第２の取付け区分と、必要な場合にはシールとは、Ｕ字形に形成されている。クランプ法では、Ｕ字形の取付け区分が工具によって取り囲まれ、プレスされて主にＣ字形のクランプ部を形成する。Ｃ字形のクランプ部は、被覆体もしくは導体を電気的なコンタクトエレメントに着脱不能に結合する。本明細書で提案されたコンタクトエレメントでは、導体はほぼ差込み方向に沿って延びていてもよく、差込み軸線に対して角度を成して、特に直角に延びていてもよい。コネクタのよりコンパクトな構成の利点は、コンタクト区分が導体に関して直線状に延びているか、または曲げられて延びているかに関係なく達成され得る。特に、電気的な導体およびコンタクトエレメントが、ほぼ差込み方向に沿って延びている場合、提案された電気的なコンタクトエレメントでは、コンタクト区分が第１の取付け区分に向かってずらされ、これにより第１の取付け区分がクランプ工具により取り囲まれ得るので、クランプ法が実施可能である。導体が第１の取付け区分に結合されている場合に、対向コンタクトエレメントが第１の取付け区分の傍らをガイド可能であるように、コンタクト区分が形成されていてもよい。この場合、対向コンタクトエレメントは、提案された電気的なコンタクトエレメントが対向コンタクトエレメントに関してその所定の位置にずらされている場合に、第１の取付け区分を少なくとも部分的に覆っていてよい。コンタクト区分も、第１の取付け区分に関連して、対向コンタクトエレメントが第１の取付け区分に接触するように、形成されていてもよい。
【０００７】
本発明の別の態様によれば、電気的なコンタクトエレメントは、電気的な線路の電気絶縁性の被覆体を取り付ける第２の取付け区分を有している。線路は、ほぼ差込み方向に沿って延びている。被覆体が第２の取付け区分に固く結合されている場合、第２の取付け区分は、ほぼ差込み方向に沿って延びかつ横断面でほぼ正方形の中空シリンダ状の周面によって制限可能である。導体が第１の取付け区分に結合されている場合、周面は、コンタクト区分によって越えられていない。
【０００８】
この場合、正方形の中空シリンダ状の周面は、中心軸線に沿って延びており、この場合、中心軸線は、電気的な線路の中心軸線であってよい。電気的な線路は、当該電気的な線路に当て付けられる電気的なコンタクトエレメントを備えている。周面は、第２の取付け区分に接触してよい。コンタクト区分は、同様に、周面に接触することができるか、または周面から中心軸線の方向に間隔を空けていてもよい。これにより、このように形成された電気的なコンタクトエレメントは、差込み方向で１つのコネクタケーシング内に移動されてよく、この場合に、場合によっては第２の取付け区分を越える突出部を収容するためにコネクタケーシングを２つに分割して形成する必要はない。したがって、コネクタケーシング内に形成されたコンタクト室は、コンタクトエレメントに面した内壁を有している。この内壁は、少なくとも部分領域において、ほぼ正方形の中空シリンダ状の周面を形成している。
【０００９】
本発明の別の態様によれば、電気的なコンタクト区分は、電気的な線路の電気絶縁性の被覆体を取り付ける第２の取付け区分を有している。線路は、ほぼ差込み方向に沿って延びている。被覆体が第２の取付け区分に固く結合されている場合、第２の取付け区分は、ほぼ差込み方向に沿って延びかつ横断面でほぼ円形の中空シリンダ状の周面により制限可能である。導体が第１の取付け区分に結合されている場合、周面は、コンタクト区分によって越えられていない。
【００１０】
ここに提案された実施の形態は、２つ前の段落において説明された実施の形態に対して、正方形の横断面が円形の横断面に換えられている点でのみ相違している。通常、円形の横断面は、正方形の横断面よりも面積が小さく、この場合、正方形の周面の側面は、円形の周面の曲面に接することができる。有利には、相応してコネクタケーシングのコンタクト室は、少なくとも部分領域で同様にほぼ円形の横断面を有していてよい。これにより、通常は横断面で円形に形成されたシールエレメントを有する電気的なコンタクトエレメントが、該シールエレメントによって電気的なコンタクトエレメントに対する湿気および汚れの進入が阻止されているように、コンタクト室内に導入され得る。シールエレメントは、通常、第２の取付け区分の電気的な線路の電気絶縁性の被覆体と一緒に電気的なコンタクトエレメントに着脱不能に結合されている。
【００１１】
本発明のさらに別の態様では、導体および被覆体がそれぞれの取付け区分に取り付けられている場合に、導体および被覆体がほぼ共通の第１の中心軸線に沿って延びているように、第１の取付け区分と第２の取付け区分とが配置されている。
【００１２】
このような構成により、クランプ工程によって電気的な導体がその被覆体に対して移動されない。したがって、電気的な導体にかけられるプレス力によって、幾らかの変位に基づく付加的な曲げ力は阻止される。このことは、電気的な線路への電気的なコンタクトエレメントの結合に有利に作用するので、電気的なコネクタの寿命は延長され得る。
【００１３】
本発明の別の態様によれば、コンタクト区分は、第２の中心軸線に沿って延びており、この場合、第１の中心軸線と第２の中心軸線とは互いに対して平行に延びている。
【００１４】
有利には、これによって、差込み方向での対向コネクタとコネクタとの差し合わせが実現され、この場合に差込み方向に対して直交する横方向での相対運動が生じることはない。このような相対回動不能運動は、第１の中心軸線と第２の中心軸線とが角度を成している場合に生じる。これにより、対向コンタクトエレメントもしくはコンタクトエレメントの、対向コネクタおよびコネクタの差し合わせによる曲げ力に基づく損傷は阻止され得る。
【００１５】
本発明の別の態様によれば、第１の取付け区分、第２の取付け区分およびコンタクト区分にから成るコンタクトエレメントボディは一体的に、つまりワンピースに形成されている。
【００１６】
これにより、コンタクトエレメントボディは、打抜き曲げ加工部分として形成されていてよく、したがって廉価に製造可能である。特に、コンタクトエレメントボディが、導電性の良好な材料、たとえば真鍮または青銅から形成されている実施の形態により、第１の取付け区分とコンタクト区分との間の良好な導電性が確保される。特に、コンタクト区分は、該コンタクト区分が対向コンタクトエレメントにばね弾性的に当て付けられているように形成されていてもよいので、これにより、コンタクトエレメントおよび／または対向コンタクトエレメントの製造公差が補償され得る。
【００１７】
本発明の別の態様によれば、コンタクト区分は、ほぼ矩形の横断面を備えた対向コンタクトエレメントを収容するために形成されている。
【００１８】
この場合、正方形の横断面も含まれる。このような対向コンタクトエレメントは、ナイフ接点用コンタクトエレメントまたはピン接点用コンタクトエレメントとしても公知である。自明ではあるが、コンタクト区分は、相応する対向コンタクトエレメントを収容するために、異なって形成されていてもよい。
【００１９】
本発明の別の態様では、コンタクト区分は、係止ランスを備えたケージエレメントにより取り囲まれている。係止ランスは、第１の位置から第２の位置へ、かつ第２の位置から第１の位置へと移動可能である。係止ランスは、第１の位置では、外方に向かって斜めに突出しており、コネクタケーシングのコンタクト室に係止可能である。コンタクト区分は、差込み方向に対してほぼ直交する横方向で、第１の取付け区分とは反対に位置する側において１つの平面により制限されている。この平面は、コンタクトエレメントによっても係止ランスによっても越えられていない。
【００２０】
平面と、該平面とは反対の側に位置する、コンタクトエレメントの上端部によって、電気的なコンタクトエレメントの長さが規定される。通常は別個の構成部材であり、通常は鋼から製造されているケージエレメントは、平面と、上端部との間の長さが不変であるようにコンタクト区分を取り囲んでいる。これにより、ケージエレメントは、コンタクト区分のばね弾性的な特性を支援する。
【００２１】
本発明の別の態様では、コネクタケーシングは、上述のような電気的なコンタクトエレメントを収容する電気絶縁性の材料から成るコンタクト室を備えたコネクタケーシングを提供する。コンタクト室内には、第３の中心軸線に沿って、電気的なコンタクトエレメントが導入可能である。コンタクト室内には、第４の中心軸線に沿って電気的な対向コンタクトエレメントが導入可能である。第３の中心軸線と電気的なコンタクトエレメントの第１の中心軸線とはほぼ同一である。第４の中心軸線と電気的なコンタクトエレメントの第２の中心軸線とはほぼ同一である。
【００２２】
これによって、第１には、大量生産のために、接続された電気的な線路を備えた電気的なコンタクトエレメントが、簡単にコネクタケーシング内に導入され得る。この場合、係止ランスは、コンタクト室に係止され、コネクタケーシングからのコンタクトエレメントの不都合な脱落が阻止され得る。他方では、このような構成によって、電気的なコンタクトエレメントを装着されたコネクタケーシングと、対向コンタクトエレメントを装着された対向コネクタケーシングとが問題なく差し合わされ得る。
【００２３】
本発明の別の態様によれば、上述のようなコネクタケーシングと、上述のようなコンタクトエレメントを有するコネクタが提供される。
【００２４】
本発明の思想は、電気的なコンタクトエレメント、コネクタケーシングならびにコネクタに関して記載されていることが分かる。当業者であれば、本発明の別の態様を得るために、個別に説明された特徴が種々の形式で互いに組み合わされ得ることが分かる。
【００２５】
本発明の実施の形態を以下に添付の図面に関連して説明する。図面は単に概略的であり、縮尺通りではない。
【図面の簡単な説明】
【００２６】
【図１】コネクタケーシング内に配置された電気的なコンタクトエレメントを備える先行技術から公知の電気的なコネクタの縦断面図である。
【図２】コネクタケーシング内に配置された電気的なコンタクトエレメントを備える提案された電気的なコネクタの縦断面図である。
【図３】図２から公知の電気的なコネクタの横断面図である。
【００２７】
例示的な実施の形態の詳細な説明
図１は、先行技術による電気的なコネクタ１００を示している。電気的なコネクタ１００は、主に電気的なコンタクトエレメント１０２と、コンタクト室１０６を備えたコネクタケーシング１０４とから成っている。電気的なコンタクトエレメント１０２は、電気的な線路１１０に当接している。電気的なコンタクトエレメント１０２は、コンタクト室１０６内に係止されている。電気的な線路１１０は、導電性の導体１１２を有している。該導体１１２は、第１の取付け区分１０８によって電気的なコンタクトエレメント１０２に導電接続されている。さらに、電気的な線路１１０は、絶縁性の被覆体１１６を有している。絶縁性の被覆体１１６は、第２の取付け区分１１４によって電気的なコンタクトエレメント１０２に結合されている。さらに、第１の取付け区分１０８には、差込み方向Ｘに向かう方向でコンタクト区分１１８が続いている。該コンタクト区分１１８は、対向コンタクトエレメント１２０に導電的に接触している。電気的な線路１１０には、ほぼ円形の横断面を有するシールエレメント１２２が被さるように装着されている。この場合、シールエレメント１２２は第２の取付け区分１１４に解離不能に結合されている。シールエレメント１２２によって、コンタクト室１０６は差込み方向Ｘで密閉され、対向コネクタ（図示せず）と結合しているときに、電気的なコンタクトエレメント１０２が湿気または汚れの進入に対してシールされている。図１に示された図面から判るように、対向コンタクトエレメント１２０に接続されたコンタクト区分１１８、第１の取付け区分１０８もしくは該第１の取付け区分１０８に接続された導電性の導体１１２ならびに第２の取付け区分１１４もしくは該第２の取付け区分１１４に固く結合された絶縁性の被覆体１１６は、１つの共通の中心軸線Ｉに沿って延びている。したがって先行技術から公知の電気的なコンタクトエレメント１０２の、コンタクト区分１１８の下縁部１２６と、コンタクトエレメント１０２の上縁部１２４との間の第１の長さＡが生じる。
【００２８】
図２は、提案された電気的なコネクタ１を示している。電気的なコネクタ１は、提案された電気的なコンタクトエレメント２を有している。電気的なコンタクトエレメント２は、コネクタケーシング４のコンタクト室６内に位置固定されている。既に図１から既知のように、電気的な線路１１０のうち、導電性の導体１１２は、第１の取付け区分８に固く結合されていて、シールエレメント１２２に結合した絶縁性の被覆体１１６は、第２の取付け区分１０に固く結合されている。この場合、第１の取付け区分８もしくは導電性の導体１１２および第２の取付け区分１０もしくはシールエレメント１２２を備えた絶縁性の被覆体１１６は、１つの共通の第１の中心軸線ＩＩに沿って延びている。第１の取付け区分８には、コンタクト区分１２が導電接続されている。線路１１０は、第１の中心軸線ＩＩに沿って延びているか、もしくは差込み方向Ｘとは反対に向かう方向に、コンタクトエレメント２から遠ざかるように延びている。第１の取付け区分８とコンタクト区分１２とは、電気的なコンタクトエレメント２の差込み方向Ｘに対して直交する横方向で互いに対して間隔を空けており、これにより対向コンタクトエレメント１２０は、コンタクト区分１２を通じて第１の取付け区分８の傍らをガイドされている。差込み方向Ｘは、この場合、コンタクトエレメント２のコネクタケーシング４内への差込みにも、コンタクトエレメント２と対向コンタクトエレメント１２０との差し合わせにも関係する。この場合、コンタクト区分１２は、対向コンタクトエレメント１２０と共に、第２の中心軸線ＩＩＩに沿って延びている。第１の中心軸線ＩＩおよび第２の中心軸線ＩＩＩは、互いに対してほぼ平行に延びていて、予め規定された間隔Ｂで互いに対して間隔を空けている。電気的な線路１１０を有する電気的なコンタクトエレメント２は、差込み方向Ｘに沿ってコネクタケーシング４内もしくはコンタクト室６内に導入されている。この場合、コンタクト室６は、第３の中心軸線ＩＶに沿って延びている。この場合、組み付けられた状態では、第３の中心軸線ＩＶと第１の中心軸線ＩＩとは、同一である。間隔Ｂを以て、第４の中心軸線Ｖに沿って貫通部１９がコネクタケーシング４内に延びている。貫通部１９を通って、差込み方向Ｘとは逆方向に、対向コンタクトエレメント１２０がコンタクト室６内に導入されている。この場合も、第４の中心軸線Ｖは、第２の中心軸線ＩＩＩと同一である。さらに、コンタクト区分１２は、コンタクトエレメント２の長手方向延在方向Ｌに関連して、第１の取付け区分８から間隔を置いていて、これにより、クランプ工具が、電気的なコンタクトエレメント２に導体１１２を取り付けるために、第１の取付け区分８を取り囲むことができ、この場合にコンタクト区分１２によって妨害されることはない。この要求に相応して、コンタクト区分１２は、第１の取付け区分８に対して、図２に図示されているよりも近傍に移動されていてもよい。第１の取付け区分８、第２の取付け区分１０およびコンタクト区分１２は、１つのコンタクトエレメントボディ１８を形成し、該コンタクトエレメントボディ１８は、良好な導電性の材料、つまり真鍮からワンピースに、つまり一体的に形成されている。コンタクト区分１２は、ばね弾性的に形成されているので、コンタクト区分１２は、確実に対向コンタクトエレメント１２０に導電接続されている。コンタクト区分１２は、通常は別の材料、つまり鋼から製造されるケージエレメント１４によって取り囲まれている。ケージエレメント１４は、係止ランス１６を有している。この場合、係止ランス１６は、コネクタケーシング１０４に着脱可能にロックされている。コンタクト区分１２は、第１の取付け区分８とは反対に向けられた側で平面Ｅにより制限されている。この平面Ｅは、ケージエレメント１４によっても係止ランス１６によっても越えられていない。電気的なコンタクトエレメント２は、平面Ｅとコンタクトエレメント２の上縁部１２４との間で生じる第２の長さＣを有している。図１の図面と比較して判るように、第２の長さＣは第１の長さＡよりも短く形成されている。たとえば、モジュラ寸法が４ｍｍのときに寸法Ａが１６ｍｍである場合、寸法Ｃは１０．８ｍｍである。したがって、提案されたコンタクトエレメント２の第２の長さＣは、コンタクトエレメント１０２の第１の長さＡに比べてその３分の１の長さだけ減じられている。これによって、コネクタケーシング４は、先行技術から公知のコネクタケーシング１０４よりも短く形成され得る。したがって、先行技術から公知の電気的なコネクタ１００に比べて、電気的なコネクタ１のコンパクトな構成が実現されている。
【００２９】
図３からより良好に判るように、コンタクト室６は、ほぼ差込み方向Ｘに沿って延びかつほぼ円形の中空シリンダ状の周面２２を有している。該周面２２は、同時にコンタクト室６の内壁を形成している。見やすさの理由から図３には単に、電気的な線路を有しない第１の取付け区分８と、ほぼ矩形の横断面２０を有する対向コンタクトエレメント１２０を備えたコンタクト区分１２とが示されている。コンタクト区分１２がコンタクト室６の周面２２の内部に位置していることが明らかに判る。このような構成により、特に多極のコネクタ１において通常であるようなモジュラ寸法は先行技術に比べて不変のままである。
【図１】
2015509648.tif 000003
【図２】
2015509648.tif 000004
【図３】
2015509648.tif 000005
【国際調査報告】
2015509648.tif 000006
2015509648.tif 000007
2015509648.tif 000008
2015509648.tif 000009